(57)【要約】【課題】加工性、組付性に優れると共に振動音の吸収が図れるようにする。【解決手段】ヒンジ式の開閉扉が設けられた冷蔵庫本体３の前面開放口の開口周縁を形成する上下、左右の周縁フランジ部２３に沿って防露パイプ２７を組付ける前に、前記防露パイプ２７の少なくとも上方及び左右領域の少なくとも一部分に断面リンク状のパイプ保持手段３３を予め取付けておき、防露パイプ２７の組付けが一回の作業で完了するようにする。また、パイプ保持手段３３の材質を振動伝達を吸収し遮断する弾性変形可能な軟質材で作る。【選択図】図１
2009068777.tif 000002
【特許請求の範囲】
【請求項１】
外箱と内箱の間に断熱材を充填した冷蔵庫本体に少なくともヒンジ式の開閉扉が設けられた庫内と、前記庫内の前面開放口の開口周縁を形成する上下、左右の周縁フランジ部と、その上下、左右の周縁フランジ部の防露パイプ取付部に沿って組付けられた防露パイプと、前記防露パイプの少なくとも上方及び左右領域の少なくとも一部分に取付けられ前記防露パイプ取付部と接触し合うパイプ保持手段とを備え、前記パイプ保持手段は、前記防露パイプ取付部への組付け前に予め防露パイプに対して断面リング状に取付けられると共に前記外箱への振動伝達を吸収し遮断する弾性変形可能な軟質材で作られていることを特徴とする冷蔵庫。
【請求項２】
前記庫内は、冷蔵室となっていることを特徴とする請求項１記載の冷蔵庫。
【請求項３】
前記防露パイプ取付部は、外箱と連続し合うと共に断面アングル状となる周縁フランジ部の側面、前面の外に前記側面と対向し合う折り返し面の３面によって形成されていることを特徴とする請求項１記載の冷蔵庫。
【請求項４】
前記パイプ保持手段は、防露パイプの上方及び左右領域のほぼ中間部位に設けられていることを特徴とする請求項１記載の冷蔵庫。
【請求項５】
前記防露パイプの４箇所のコーナ部の内、少なくとも上方の両コーナ部を含む３箇所のコーナ部は固定支持手段によって固定支持されていることを特徴とする請求項１記載の冷蔵庫。
【発明の詳細な説明】
【技術分野】
【０００１】
本発明は、防露パイプを備えた冷蔵庫に関する。
【背景技術】
【０００２】
一般に冷蔵庫の庫内は強制冷却されるところから外気温との温度差によって、例えば、前面開放口となる周縁フランジ部に沿って結露が発生する。
【０００３】
このために、結露を防ぐ防露パイプが内側周縁フランジ部に沿って配置され、パイプ内を高温の冷媒が流れることで周縁フランジ部を暖めるようになっている。
【０００４】
防露パイプによって暖められた周縁フランジ部は、直接手で触れた時に人によっては熱いという感じが強く強調される場合があるため、例えば、特許文献１に示すようにフランジ部と防露パイプとの間にスペーサを介在させることで、防露パイプからの熱の伝達を小さく抑える手段を採用したものがある。
【特許文献１】実開昭５１−１３２６７１号のマイクロフィルム
【発明の開示】
【発明が解決しようとする課題】
【０００５】
スペーサは、防露パイプからの熱の伝達を小さく抑える目的のもので、取付け位置をみてもわかる通り手が触れ易い左右両側にのみ設けられた手段となっている。
【０００６】
公知手段の防露パイプの組付け作業についてみると、スペーサは外箱と裏面フランジの折り返し部とにより形成されるコ字溝内に先付けされた後、続いて前記スペーサに対して防露パイプが後付けされる手段となっている。
【０００７】
このために、防露パイプの組付けにあたってコ字溝内に予めスペーサを取り付ける作業工程が必要となる等、一回の作業で防露パイプの組付けは完了せず作業性の面で望ましくない。
【０００８】
また、スペーサを作る寸法管理についてみると、例えば、スペーサの外径寸法に狂いが起きると取付け時にきつくなって入らなかったり、又はゆるくなりすぎて遊びによるガタ付きが発生する。
【０００９】
あるいは、スペーサの内径寸法に狂いが起きると防露パイプが入りにくくなったり、又はゆるくなりすぎて遊びによるガタ付きが発生し、扉開閉時に振動音となって現れる等、外側、内側の２箇所の二重の寸法管理が求められる。加工性の面でも望ましくない。特に、スペーサを取付けるコ字溝は外箱を構成する金属製のパネル板を屈曲加工して作ることに加えて、一端が自由端になっていることもあって、コ字溝内を正確な寸法に仕上げる仕上げ加工が難しくなる等、取付け側にも問題をかかえる。
【００１０】
一方、スペーサは前記した如く防露パイプからの熱伝達を柔らげることを主目的とするものであって振動からくる振動音について何等考慮されていない。
【００１１】
防露パイプの振動はドアの開け、閉め時に発生し、特に、引き出し式の扉を備えた庫内よりヒンジ式の扉を備えた庫内の方が発生し易くなる。
【００１２】
これは、ヒンジ式の扉を備えた庫内は一般に前面開放口の開口面積が大きくなるため、その前面開放口の開口周縁に沿って配置される防露パイプの各コーナ部からコーナ部までの距離、スパンが長くなる。この結果、例えば、閉扉時の衝撃で振動音が発生し易くなるためと考えられる。
【００１３】
そこで、本発明にあっては加工性、組付性に優れると共に振動音の吸収が図れるようにした冷蔵庫を提供することを目的とする。
【課題を解決するための手段】
【００１４】
前記目的を達成するために、本発明にあっては、外箱と内箱の間に断熱材を充填した冷蔵庫本体に少なくともヒンジ式の開閉扉が設けられた庫内と、前記庫内の前面開放口の開口周縁を形成する上下、左右の周縁フランジ部と、その上下、左右の周縁フランジ部の防露パイプ取付部に沿って組付けられた防露パイプと、前記防露パイプの少なくとも上方及び左右領域の少なくとも一部分に取付けられ前記防露パイプ取付部と接触し合うパイプ保持手段とを備え、前記パイプ保持手段は、前記防露パイプ取付部への組付け前に予め防露パイプに対して断面リング状に取付けられると共に前記外箱への振動伝達を吸収し遮断する弾性変形可能な軟質材で作られていることを特徴とする。
【発明の効果】
【００１５】
本発明によれば、防露パイプに予めパイプ保持手段が取付けられているため、防露パイプ取付部に対する防露パイプの組付け作業は一回の作業工程で迅速に完了することができる。
【００１６】
また、パイプ保持手段は弾性変形可能な軟質材で作られているため厳しく寸法管理をしなくとも弾性変形することで防露パイプ取付部に対して容易に確実に組付けることができる。この結果、加工性の面でも大変好ましいものとなる。
【００１７】
また、組付け完了後のパイプ保持手段は、軟質材によって防露パイプ取付部と弾接し合うことで、コーナ部からコーナ部までの距離（スパン）が長くなることで発生し易くなる防露パイプの振動を吸収し振動音を小さく抑えることができる。
【発明を実施するための最良の形態】
【００１８】
本発明を実施するにあたって第１に前記庫内にあっては、冷蔵室とすることで、振動音を小さく抑制できることは無論として、もともと防露性の高い冷蔵室において防露パイプからの熱伝達を小さく抑えることができるようにすることが望ましい。
【００１９】
第２に前記防露パイプ取付部にあっては、外箱と連続し合うと共に断面アングル状となる周縁フランジ部の側面、前面の外に前記側面と対向し合う折り返し面の３面によって形成することで、防露パイプからの熱を周縁フランジ部に対してバランスよく安定して伝達できるようにすることが望ましい。
【００２０】
第３に前記パイプ保持手段にあっては、防露パイプの上方及び左右領域のほぼ中間部位に設けることで、少ない数のパイプ保持手段によって防露パイプを効率よく保持できるようにすることが望ましい。
【００２１】
第４に前記防露パイプの４箇所のコーナ部の内、少なくとも上方の両コーナ部を含む３箇所のコーナ部を固定支持手段によって固定支持することで、全体に影響を与える防露パイプのコーナ部を、確実に押さえ込み振動が起きにくいようにすることが望ましい。
【実施例】
【００２２】
以下、図１乃至図５の図面を参照しながら本発明の実施形態について具体的に説明する。
【００２３】
図５は冷蔵庫の各扉を省略した冷蔵庫本体の概要斜視図を示している。
【００２４】
冷蔵庫１の冷蔵庫本体３は金属製のパネル板によって形成された外箱５と合成樹脂製の内箱７とで構成され、図４に示す如く外箱５と内箱７の間には断熱材９が充填された構造となっている。
【００２５】
冷蔵庫本体３は上から順に冷蔵室１１と並列配置された製氷室１３及び切替室１５と野菜室１７と冷凍室１９となっている。
【００２６】
冷蔵室１１はヒンジタイプの開閉扉（図示していない）を有し、前方は広い開口面積を備えた前面開放口となっている。
【００２７】
製氷室１３及び切替室１５と野菜室１７と冷凍室１９はそれぞれ引き出しタイプとなっていて、取手を備えた前方の引き出し扉（図示していない）の内側が収納庫となっている。  引き出しタイプの製氷室１３及び切替室１５と野菜室１７と冷凍室１９の前面開放口は、前記冷蔵室１１の前面開放口より小さい開口面積に作られていて仕切壁２１により仕切られ、それぞれ独立した各庫内が確保されている。
【００２８】
冷蔵室１１の開口周縁を形成する上下、左右の周縁フランジ部２３と、引き出しタイプの製氷室１３、切替室１５、野菜室１７、冷凍室１９の各開口周縁を形成する上下、左右の周縁フランジ部２５、２５ａには図２に示す如く一本の連続した防露パイプ２７が配置されている。
【００２９】
なお、各庫内を仕切る仕切壁２１によって作られる周縁フランジ部２５ａは、例えば、冷蔵室１１の下側の周縁フランジ部を兼ねる形状となっている。
【００３０】
防露パイプ２７は、代表例として図４に示す周縁フランジ部２３の防露パイプ取付部２９に沿って配置され、防露パイプ２７の一端２７ａは冷凍サイクルを構成する凝縮器の出口側と、他端２７ｂは絞り装置（いずれも図示していない）の入口側とそれぞれ接続し、内部を温度の高い冷媒が流れるようになっている。
【００３１】
防露パイプ取付部２９は、外箱５と連続し合うと共に断面アングル状となる周縁フランジ部２３の側面２３ａと前面２３ｂの外に、前記側面２３ａと対向し合う折り返し面２３ｃの３面によって形成されている。
【００３２】
この場合、防露パイプ取付部２９において冷蔵室１１の開口周縁を形成する周縁フランジ部２３以外については、必ずしも折り返し面２３ｃを加えた３面支持構造でなくてもよく側面２３ａと前面２３ｂの２面形状であってもよい。
【００３３】
一方、冷蔵室１１の上下、左右の周縁フランジ部２３に配置された少なくとも上方及び左右両側の防露パイプ２７の一部分で中間部位にはパイプ保持手段３３が取付けられている。
【００３４】
また、図１に示す如く防露パイプ２７の上方の左右両コーナ部２７ａ、２７ｂと左下側コーナ部２７ｃはメルト等の固定支持手段３５によって固定支持されている。
【００３５】
これにより、防露パイプ２７の各コーナ部２７ａ、２７ｂ、２７ｃは固定支持手段３５によって固定支持される一方、例えば、上方のコーナ部２７ａからコーナ部２７ｂまでの距離Ｌが長くなり、振動が起き易くなる防露パイプ２７の中間領域は、パイプ保持手段３３によって保持される構造となっている。
【００３６】
パイプ保持手段３３は、所定の厚みを有し弾性変形可能な軟質材、例えば、軟質ポリエチレン系のもので耐熱温度が６０℃以上のものが用いられると共に図３に示す如く防露パイプ２７に対して断面リンク状に取付けられた形状となっている。
【００３７】
パイプ保持手段３３を取付ける場所としては振動が発生し易い冷蔵室１１の周縁フランジ部２３の領域に設けることが望ましい。
【００３８】
この場合、冷蔵室１１の下側周縁フランジ部２５ａの防露パイプ２７にはパイプ保持手段３３が設けられていないが、この領域は冷蔵室１１と、並列配置された製氷室１３及び切替室１５とを仕切る仕切壁２１となっていることに加えて、防露パイプ２７が折り返された上下並列配置となるため振動が起きにくい形状となっているためである。
【００３９】
無論、この領域の防露パイプ２７にパイプ保持手段３３を設けるようにすることも可能であるし、野菜室１７、冷凍室１９の周縁フランジ部２５、２５ａの防露パイプ２７にパイプ保持手段３３を設けるようにしてもよい。
【００４０】
また、図２に示す如く防露パイプ２７の右側領域は上下に長い連続した形状となるため、冷蔵室１１に近い切替室１５の右側周縁フランジ部２５の領域に一箇所パイプ保持手段３３が設けられている。基本としてスパンが長く振動が起きやすい位置に設けるようにすることが望ましい。
【００４１】
このように構成された冷蔵庫１によれば、防露パイプ２７を組付けるにあたって予め防露パイプ２７にパイプ保持手段３３を取付けることで組付け作業は一回の作業工程で迅速に完了するようになる。
【００４２】
この組付け作業時、パイプ保持手段３３は弾性変形可能な軟質材で作られているため厳しく寸法管理しなくても弾性変形することで容易に組付けが行なえるようになる。
【００４３】
一方、組付け完了後において、開閉扉の開閉時に固定支持手段３５によって固定支持された各コーナ部２７ａ、２７ｂ、２７ｃの間に振動が発生したとしても中間部位に設けられたパイプ保持手段３３によって振動を吸収し遮断するようになる。
【００４４】
同時にパイプ保持手段３３は、もともと温度帯が高く防露性能のよい冷蔵室１１の周縁フランジ部２３に対して伝達される熱を抑制して伝えることができるようになる。
【００４５】
なお、本実施形態ではヒンジ式の開閉扉と引き出し式の扉を備えた冷蔵庫について説明したが、ヒンジ式の開閉扉のみを備えた冷蔵庫に適用することも可能である。
【図面の簡単な説明】
【００４６】
【図１】本発明にかかるヒンジ式の開閉扉を省略した冷蔵室の概要正面図。
【図２】防露パイプを示した全体の概要説明図。
【図３】防露パイプにパイプ保持手段を取付けた概要拡大斜視図。
【図４】図１のＡ−Ａ線拡大概要断面図。
【図５】各扉を省略した冷蔵庫全体の概要斜視図。
【符号の説明】
【００４７】
３    冷蔵庫本体
５    外箱
７    内箱
９    断熱材
１１    冷蔵室
２１    仕切壁
２３    周縁フランジ部
２３ａ    側面
２３ｂ    前面
２３ｃ    振り返し面
２５、２５ａ    周縁フランジ部
２７    防露パイプ
２７ａ、２７ｂ、２７ｃ    防露パイプのコーナ部
２９    防露パイプ取付部
３３    パイプ保持手段
３５    固定支持手段
【図１】
2009068777.tif 000003
【図２】
2009068777.tif 000004
【図３】
2009068777.tif 000005
【図４】
2009068777.tif 000006
【図５】
2009068777.tif 000007